(57)【要約】      （修正有）【課題】重いものを運ぶのに便利な杖の提供。【解決手段】伸縮自在なステッキや杖の両先に小型の空気タイヤやスポンジタイヤ等と円形手すりを付け手すり側の先に買い物袋等をかけられるフックと買い物袋等の揺れを防ぐ為のフック等やゴム等を付ける。買い物に行く時等コンパクトにたたみカバン等に入れ買い物が済めば伸ばして買い物袋等をフックにかけゴム等で揺れを防げば後は一輪ですべらせれば楽に運べる。また、階段ものぼる際のクッションとして丸い空気の入った玉やスポンジの玉等をつける。【選択図】図１
2014184103.tif 000002
【特許請求の範囲】
【請求項１】
まず伸縮自在のステッキや杖の様な物を使用します。
ステッキ等の中に、スポンジ等を入れスポンジの力で伸びたり小さくなったりします。
【請求項２】
まず今まで使われている全ての車輪（台車や旅行カバン等）を空気タイヤやスポンジタイヤにします。両先に小型の空気タイヤやスポンジタイヤと円形の手すりを付けます。空気タイヤやスポンジタイヤを使用すれば物を運ぶ時にガタガタとうるさくなくなります。静かです。
【請求項３】
透明プラスチックを使用します。（なるべく軽量化する為）
【請求項４】
そして、一番先の部分に（手すりの方）に買い物袋をぶら下げるフックと買い物袋の揺れを防ぐためのゴム等やフックを付けます。後は買い物に行く時に一番コンパクトにしてカバン等に入れ買い物が終れば長くして使用すれば大丈夫です。
【請求項５】
長さも２０センチ位の三段かい〜２０センチ位や四段かい等を作ります。
人によって合う長さが違う為です。
【請求項６】
そして、一番先の部分（車輪の方）の車輪に近い箇所にスポンジ等で出来た丸い球を使います。
（クッション）
これは、階段をのぼる時に使用されるスポンジ等で出来た丸い球のクッションで階段をのぼる時その丸い球を階段に向けてのぼればその丸い球がクッションになり階段をのぼりやすくなります。
【発明の詳細な説明】
【技術分野】
【０００１】本考案は今まではほとんどの人が買い物をすると買い物袋に品物を入れ買い物袋を持ち家まで運んでいました。これだと軽い物だとそうでもないのですが重い物ですととても大変で不便です。
そして今までの買い物ボードは実に大きすぎて普段の買い物等には実用性にかけます。【０００２】今ほとんどの人が買い物すると手運びで家まで運びますよね。軽い物なら良いのですが重い物を運ぶ時にとても不便ですよね。【０００３】そして今までの買い物カートは大きすぎて近くで買い物する時は実用性にかけました。
遠くで買い物する時は便利ですが近くで買い物する時は不便でした。
更にこれら物を運ぶ全ての物（台車等）は物を運ぶ時音がうるさくてとてもいやでした。【０００４】しかし、これらの買い物を伸縮自在の一輪の（空気タイヤやスポンジタイヤ等）車輪がついたステッキの様な物を使用すればとても楽だと思い考えました。
【発明の概要】
【発明が解決しようとする課題】
【０００５】買い物袋を手に持って帰るのはとても疲れますしマンション等に住む方たちはとても不便です。【０００６】近くで買い物する人は手で持って帰らなくてはならずとても重いです。（特に十キロ〜二十キロ）の場合【０００７】そして、今までの買い物ボード等も大きすぎて実用性にかけました。
更に今までの物を運ぶ物（台車等）はみんな運ぶ時に音がガタガタとうるさくて嫌でした。
【課題を解決するための手段】
【０００８】解決方法はいたって簡単で、杖の様な物を伸縮自在にし（カバン等に入る位コンパクトになる）
その先に小型の空気車輪やスポンジタイヤ等を付け反対側には丸い手すりを付け買い物袋をぶら下げるフックとゴムで揺れを防ぐフックを付ければ良いと思いました。
【発明の効果】
【００１０】本考案を使用すればいままでの様に重い荷物を家まで運ぶのを防ぐ事が出来ます。【００１１】  買い物に行く時、折りたたんでカバン等に入れ買い物が済んだらカバンから出し長くして使えます。【００１２】  そして、それに付いているフックに買い物袋等を下げ揺れない様にゴム等でしめます。
そうすれば空気車輪やスポンジタイヤ等ですべらせて自宅に帰ればいいので今までよりかなり買い物が楽になります。音も静かでとても便利だと思います。【００１３】マンション等に住む方等もエレベーターの待ち時間に荷物を持っていましたがこれを使用すれば重みが無くなりとても便利です。
【図１】
2014184103.tif 000003
【手続補正書】
【提出日】平成25年6月5日(2013.6.5)
【手続補正１】
【補正対象書類名】明細書
【補正対象項目名】全文
【補正方法】変更
【補正の内容】
【発明の詳細な説明】
【技術分野】
【０００１】本考案は今まではほとんどの人が買い物をすると買い物袋に品物を入れ買い物袋を持ち家まで運んでいました。これだと軽い物だとそうでもないのですが重い物ですととても大変で不便です。
そして今までの買い物ボードは実に大きすぎて普段の買い物等には実用性にかけます。【０００２】今ほとんどの人が買い物すると手運びで家まで運びますよね。軽い物なら良いのですが重い物を運ぶ時にとても不便ですよね。【０００３】そして今までの買い物カートは大きすぎて近くで買い物する時は実用性にかけました。
遠くで買い物する時は便利ですが近くで買い物する時は不便でした。
更にこれら物を運ぶ全ての物（台車等）は物を運ぶ時音がうるさくてとてもいやでした。【０００４】しかし、これらの買い物を伸縮自在の一輪の（空気タイヤやスポンジタイヤ等）車輪がついたステッキの様な物を使用すればとても楽だと思い考えました。
【発明の概要】
【発明が解決しようとする課題】
【０００５】買い物袋を手に持って帰るのはとても疲れますしマンション等に住む方たちはとても不便です。【０００６】近くで買い物する人は手で持って帰らなくてはならずとても重いです。（特に十キロ〜二十キロ）の場合【０００７】そして、今までの買い物ボード等も大きすぎて実用性にかけました。
更に今までの物を運ぶ物（台車等）はみんな運ぶ時に音がガタガタとうるさくて嫌でした。
【課題を解決する為の手段】
【０００８】解決方法はいたって簡単で、杖の様な物を伸縮自在にし（カバン等に入る位コンパクトになる）
その先に小型の空気車輪やスポンジタイヤ等を付け反対側には丸い手すりを付け買い物袋をぶら下げるフックとゴムで揺れを防ぐフックを付ければ良いと思いました。
【発明の効果】
【０００９】本考案を使用すればいままでの様に重い荷物を家まで運ぶのを防ぐ事が出来ます。
【００１０】  買い物に行く時、折りたたんでカバン等に入れ買い物が済んだらカバンから出し長くして使えます。
【００１１】  そして、それに付いているフックに買い物袋等を下げ揺れない様にゴム等でしめます。
そうすれば空気車輪やスポンジタイヤ等ですべらせて自宅に帰ればいいので今までよりかなり買い物が楽になります。音も静かでとても便利だと思います。
【００１２】マンション等に住む方等もエレベーターの待ち時間に荷物を持っていましたがこれを使用すれば重みが無くなりとても便利です。
【図面の簡単な説明】
【００１３】
【図１】立体図  この図に示されているのはこの伸縮一輪買い物らくらくステッキの仕組みについてしるしてあります。この伸縮一輪買い物らくらくステッキは男性や女性や背の高さ等で数種類の長さの物を使用しますが大体約１５センチ〜２０センチ位で折りたたんで三段かいや四段かい等で使用します。普段買い物をする時等、軽い物は別として重い物になるとお年寄りや女性には運ぶのに苦労すると思います。特に大きいデパート等で買い物する場合もっと色々みたい物があるのにといった事もある場合等もあると思います。そんな時にとても役に立ちます。カバンやバック等に折りたためる程コンパクトにたため、買い物をすました後もこれを伸ばして買い物をらくらく運べるためもっと買い物が楽に楽しくなります。マンションやアパート等に住んでいる方達もこれを使うとエレベーターの待ち時間等も楽ですしアパートに住んでいる方も階段をのぼるのも手で運ぶのより楽です。どこかちょっとした子供の遊び場やゆーえんち等とかに行った時もとても役に立つと思います。個人によって長さは変わりますが特にお年寄りの方や女性の方等に役に立つと思います。